(57)【要約】【課題】会議データのある期間の再生において、該期間の会議データを分割した分割会議データのうち、該期間と、該期間と異なる期間と、の重要度の傾向に基づいて生成される重要度閾値に基づいて選択される分割会議データを再生する会議システムを提供する【解決手段】会議システム１０のサーバ装置１００は、会議データを分割して分割会議データを生成する音声解析部１０２と、複数の分割会議データのそれぞれについて重要度情報を生成する重要度算出部１０３と、第１の期間と第２の期間を特定する期間特定情報を取得する期間特定情報取得部１０５と、第１重要度傾向情報と第２重要度傾向情報を生成する重要度予測部１０６と、第１重要度傾向情報と第２重要度傾向情報に基づいて、重要度閾値を生成する閾値生成部１０７と、重要度が重要度閾値以上である分割会議データを再生する再生部１０９と、を有する。【選択図】図２
2015076673.tif 000002
【特許請求の範囲】
【請求項１】
会議の内容が記録された会議データを分割して、複数の分割会議データを生成する分割会議データ生成手段と、
前記複数の分割会議データのそれぞれについて、重要度を示す重要度情報を生成する重要度情報生成手段と、
それぞれ前記会議の期間に含まれる、第１の期間と、前記第１の期間の後の第２の期間と、を特定する期間特定情報を取得する期間特定情報取得手段と、
前記重要度情報に基づいて、
前記第１の期間に含まれる前記分割会議データの重要度の傾向を示す第１重要度傾向情報と、前記第２の期間に含まれる前記分割会議データの重要度の傾向を示す第２重要度傾向情報と、を生成する重要度傾向情報生成手段と、
前記第１重要度傾向情報と、前記第２重要度傾向情報と、に基づいて、重要度閾値を生成する閾値生成手段と、
前記第２の期間に対応する前記会議データの再生において、前記第２の期間に含まれる前記分割会議データのうち、前記重要度が前記重要度閾値以上である分割会議データを再生する再生手段と、
を有することを特徴とする会議システム。
【請求項２】
請求項１に記載の会議システムにおいて、
前記第１重要度傾向情報は、前記重要度と、前記第１の期間に含まれる該重要度を有する分割会議データの記録時間の総和と、を関連づける情報であり、
前記第２重要度傾向情報は、前記重要度と、前記第２の期間に含まれる該重要度を有する分割会議データの記録時間の総和と、を関連づける情報である、
ことを特徴とする会議システム。
【請求項３】
請求項２に記載の会議システムにおいて、
前記期間特定情報取得手段は、前記会議データのうち、前記再生手段により前記第２の期間において再生される再生対象会議データの始点を特定する情報を更に取得し、
前記閾値生成手段は、
前記第２重要度傾向情報に基づいて、各重要度について、前記再生対象会議データに含まれる前記分割会議データのうち、該重要度以上の重要度を有する分割会議データの記録時間の総和である記録時間累積値を算出し、
前記記録時間累積値が前記第２の期間の長さ以下である重要度のうち、最小の重要度を前記重要度閾値とする、
ことを特徴とする会議システム。
【請求項４】
請求項３に記載の会議システムにおいて、
前記閾値生成手段は、前記重要度閾値を、
前記第１の期間の長さと、前記第２の期間の長さと、の比率と、
前記第１の期間の内容の量と、前記第２の期間の内容の量と、の比率と、
にさらに基づいて生成する、
ことを特徴とする会議システム。
【請求項５】
請求項４に記載の会議システムにおいて、
前記重要度傾向情報生成手段は、
前記再生対象会議データの始点から前記第２の期間の始点までの期間に含まれる前記分割会議データの重要度の傾向を示す第３重要度傾向情報を更に生成し、
前記第１重要度傾向情報と、前記第３重要度傾向情報と、に基づいて、前記第２重要度傾向情報を生成する、
ことを特徴とする会議システム。
【請求項６】
請求項１乃至５のいずれかに記載の会議システムにおいて、
会議の内容を示す会議内容情報からキーワードを抽出するキーワード抽出手段を更に有し、
前記重要度情報生成手段は、前記分割会議データについて、該分割会議データに含まれる前記キーワードの個数に基づいて前記重要度情報を生成する、
ことを特徴とする会議システム。
【請求項７】
請求項４又は５に記載の会議システムにおいて、
会議において表示される複数の画面を示す表示画面情報からキーワードを抽出するキーワード抽出手段を更に有し、
前記重要度情報生成手段は、前記分割会議データについて、該分割会議データに含まれる前記キーワードの個数に基づいて前記重要度情報を生成し、
前記閾値生成手段は、
前記第１の期間の内容の量を、前記第１の期間に表示される前記画面の枚数に基づいて特定し、
前記第２の期間の内容の量を、前記第２の期間に表示される前記画面の枚数に基づいて特定する、
ことを特徴とする会議システム。
【請求項８】
請求項６又は７に記載の会議システムにおいて、
音声情報から文字データを生成する音声解析手段をさらに有し、
前記会議データおよび前記分割会議データは音声情報を含み、
前記重要度情報生成手段は、
前記音声解析手段により前記分割会議データの音声データから生成される文字データを取得し、
前記文字データに含まれる前記キーワードの個数に基づいて、前記重要度情報を生成する、
ことを特徴とする会議システム。
【請求項９】
請求項１乃至８のいずれかに記載の会議システムにおいて、
会議の参加者により操作されるクライアント端末を有し、
前記クライアント端末は、
前記参加者の操作に基づいて前記第２の期間を特定する第２期間特定情報を取得する第２期間特定情報取得手段と、
前記第２期間特定情報を、前記期間特定情報取得手段に対して出力する第２期間特定情報出力手段と、
前記再生手段による再生内容を出力する再生内容出力手段と、
を有することを特徴とする会議システム。
【請求項１０】
請求項１乃至９のいずれかに記載の会議システムにおいて、
前記重要度閾値と所定の判定値とを比較する比較手段と、
前記比較手段により前記重要度閾値が前記判定値より大きいと判定された場合、前記重要度閾値を変更する閾値変更手段と、
を更に有し、
前記比較手段により前記重要度閾値が前記判定値より大きい場合、前記再生手段は、前記分割会議データの再生速度を変更する、
ことを特徴とする会議システム。
【請求項１１】
会議の内容が記録された会議データを分割して、複数の分割会議データを生成する分割会議データ生成手段と、
前記複数の分割会議データのそれぞれについて、重要度を示す重要度情報を生成する重要度情報生成手段と、
それぞれ前記会議の期間に含まれる、第１の期間と、前記第１の期間の後の第２の期間と、を特定する、期間特定情報を取得する期間特定情報取得手段と、
前記重要度情報に基づいて、
前記第１の期間に含まれる前記分割会議データの重要度の傾向を示す第１重要度傾向情報と、前記第２の期間に含まれる前記分割会議データの重要度の傾向を示す第２重要度傾向情報と、を生成する重要度傾向情報生成手段と、
前記第１重要度傾向情報と、前記第２重要度傾向情報と、に基づいて、重要度閾値を生成する閾値生成手段と、
前記第２の期間に対応する前記会議データの再生において、前記第２の期間に含まれる前記分割会議データのうち、前記重要度が前記重要度閾値以上である分割会議データを再生する再生手段と、
を有することを特徴とするサーバ装置。
【請求項１２】
第１の期間と、前記第１の期間の後の第２の期間と、を含む会議の内容が記録され、それぞれが重要度を有する複数の分割会議データに分割される会議データの、再生内容を出力するクライアント端末であって、
前記第２の期間に対応する前記会議データの再生内容の出力において、
前記第１の期間に含まれる前記分割会議データの重要度の傾向を示す第１重要度傾向情報と、前記第２の期間に含まれる前記分割会議データの重要度の傾向を示す第２重要度傾向情報と、に基づいた重要度閾値以上の重要度を有する分割会議データの再生内容を出力する、再生内容出力手段を有することを特徴とするクライアント端末。
【請求項１３】
コンピュータを、
会議の内容が記録された会議データを分割して、複数の分割会議データを生成する分割会議データ生成手段と、
前記複数の分割会議データのそれぞれについて、重要度を示す重要度情報を生成する重要度情報生成手段と、
それぞれ前記会議の期間に含まれる、第１の期間と、前記第１の期間の後の第２の期間と、を特定する期間特定情報を取得する期間特定情報取得手段と、
前記重要度情報に基づいて、
前記第１の期間に含まれる前記分割会議データの重要度の傾向を示す第１重要度傾向情報と、前記第２の期間に含まれる前記分割会議データの重要度の傾向を示す第２重要度傾向情報と、を生成する重要度傾向情報生成手段と、
前記第１重要度傾向情報と、前記第２重要度傾向情報と、に基づいて、重要度閾値を生成する閾値生成手段と、
前記第２の期間に対応する前記会議データの再生において、前記第２の期間に含まれる前記分割会議データのうち、前記重要度が前記重要度閾値以上である分割会議データを再生する再生手段と、
として機能させるプログラム。
【発明の詳細な説明】
【技術分野】
【０００１】
本発明は、会議システム、サーバ装置、クライアント端末、およびプログラムに関する。
【背景技術】
【０００２】
特許文献１には、欠席者や退席者が操作する端末装置からの要求に応じて、映像データや音声データ等の会議情報を記録する記録媒体を有するテレビ会議システムが開示されている。特許文献２には、蓄積された音声、映像、メモ書き等の会議に関する各種情報に基づいて会議概要情報を生成し、クライアントＰＣに送信する会議概要把握支援方法が開示されている。特許文献３には、一部の端末との間でネットワーク障害が発生した場合に学習形態をシンクロナス型からオンデマンド型に切り替えて学習を継続し、復帰後に、他の端末との同期が取れる端末について学習形態をシンクロナス型に切り替える教育システムが開示されている。特許文献４には、会議に途中から参加するクライアント端末に対し、参加前の会議の経緯を早送りで再生し、再生が追いついた時点で再生内容をリアルタイムの内容に切り替える多地点通信会議システムが開示されている。
【先行技術文献】
【特許文献】
【０００３】
【特許文献１】特開２０００−２３１３０号公報
【特許文献２】特開２００４−３５０１３４号公報
【特許文献３】特開２００７−３３４７９７号公報
【特許文献４】特開２００１−１２８１３３号公報
【発明の概要】
【発明が解決しようとする課題】
【０００４】
本発明の目的の１つは、会議データのある期間の再生において、該期間の会議データを分割した分割会議データのうち、該期間と、該期間と異なる期間と、の重要度の傾向に基づいて生成される重要度閾値に基づいて選択される分割会議データを再生する会議システム、サーバ装置、クライアント端末、およびプログラムを提供することにある。
【課題を解決するための手段】
【０００５】
上記目的を達成するために、請求項１に記載の発明は、会議の内容が記録された会議データを分割して、複数の分割会議データを生成する分割会議データ生成手段と、前記複数の分割会議データのそれぞれについて、重要度を示す重要度情報を生成する重要度情報生成手段と、それぞれ前記会議の期間に含まれる、第１の期間と、前記第１の期間の後の第２の期間と、を特定する期間特定情報を取得する期間特定情報取得手段と、前記重要度情報に基づいて、前記第１の期間に含まれる前記分割会議データの重要度の傾向を示す第１重要度傾向情報と、前記第２の期間に含まれる前記分割会議データの重要度の傾向を示す第２重要度傾向情報と、を生成する重要度傾向情報生成手段と、前記第１重要度傾向情報と、前記第２重要度傾向情報と、に基づいて、重要度閾値を生成する閾値生成手段と、前記第２の期間に対応する前記会議データの再生において、前記第２の期間に含まれる前記分割会議データのうち、前記重要度が前記重要度閾値以上である分割会議データを再生する再生手段と、を有することを特徴とする会議システムである。
【０００６】
また、請求項２に記載の発明は、請求項１に記載の会議システムにおいて、前記第１重要度傾向情報は、前記重要度と、前記第１の期間に含まれる該重要度を有する分割会議データの記録時間の総和と、を関連づける情報であり、前記第２重要度傾向情報は、前記重要度と、前記第２の期間に含まれる該重要度を有する分割会議データの記録時間の総和と、を関連づける情報である、ことを特徴とする会議システムである。
【０００７】
また、請求項３に記載の発明は、請求項２に記載の会議システムにおいて、前記期間特定情報取得手段は、前記会議データのうち、前記再生手段により前記第２の期間において再生される再生対象会議データの始点を特定する情報を更に取得し、前記閾値生成手段は、前記第２重要度傾向情報に基づいて、各重要度について、前記再生対象会議データに含まれる前記分割会議データのうち、該重要度以上の重要度を有する分割会議データの記録時間の総和である記録時間累積値を算出し、前記記録時間累積値が前記第２の期間の長さ以下である重要度のうち、最小の重要度を前記重要度閾値とする、ことを特徴とする会議システムである。
【０００８】
また、請求項４に記載の発明は、請求項３に記載の会議システムにおいて、前記閾値生成手段は、前記重要度閾値を、前記第１の期間の長さと、前記第２の期間の長さと、の比率と、前記第１の期間の内容の量と、前記第２の期間の内容の量と、の比率と、にさらに基づいて生成する、ことを特徴とする会議システムである。
【０００９】
また、請求項５に記載の発明は、請求項４に記載の会議システムにおいて、前記重要度傾向情報生成手段は、前記再生対象会議データの始点から前記第２の期間の始点までの期間に含まれる前記分割会議データの重要度の傾向を示す第３重要度傾向情報を更に生成し、前記第１重要度傾向情報と、前記第３重要度傾向情報と、に基づいて、前記第２重要度傾向情報を生成する、ことを特徴とする会議システムである。
【００１０】
また、請求項６に記載の発明は、請求項１乃至５のいずれかに記載の会議システムにおいて、会議の内容を示す会議内容情報からキーワードを抽出するキーワード抽出手段を更に有し、前記重要度情報生成手段は、前記分割会議データについて、該分割会議データに含まれる前記キーワードの個数に基づいて前記重要度情報を生成する、ことを特徴とする会議システムである。
【００１１】
また、請求項７に記載の発明は、請求項４又は５に記載の会議システムにおいて、会議において表示される複数の画面を示す表示画面情報からキーワードを抽出するキーワード抽出手段を更に有し、前記重要度情報生成手段は、前記分割会議データについて、該分割会議データに含まれる前記キーワードの個数に基づいて前記重要度情報を生成し、前記閾値生成手段は、前記第１の期間の内容の量を、前記第１の期間に表示される前記画面の枚数に基づいて特定し、前記第２の期間の内容の量を、前記第２の期間に表示される前記画面の枚数に基づいて特定する、ことを特徴とする会議システムである。
【００１２】
また、請求項８に記載の発明は、請求項６又は７に記載の会議システムにおいて、音声情報から文字データを生成する音声解析手段をさらに有し、前記会議データおよび前記分割会議データは音声情報を含み、前記重要度情報生成手段は、前記音声解析手段により前記分割会議データの音声データから生成される文字データを取得し、前記文字データに含まれる前記キーワードの個数に基づいて、前記重要度情報を生成する、ことを特徴とする会議システムである。
【００１３】
また、請求項９に記載の発明は、請求項１乃至８のいずれかに記載の会議システムにおいて、会議の参加者により操作されるクライアント端末を有し、前記クライアント端末は、前記参加者の操作に基づいて前記第２の期間を特定する第２期間特定情報を取得する第２期間特定情報取得手段と、前記第２期間特定情報を、前記期間特定情報取得手段に対して出力する第２期間特定情報出力手段と、前記再生手段による再生内容を出力する再生内容出力手段と、を有することを特徴とする会議システムである。
【００１４】
また、請求項１０に記載の発明は、請求項１乃至９のいずれかに記載の会議システムにおいて、前記重要度閾値と所定の判定値とを比較する比較手段と、前記比較手段により前記重要度閾値が前記判定値より大きいと判定された場合、前記重要度閾値を変更する閾値変更手段と、を更に有し、前記比較手段により前記重要度閾値が前記判定値より大きい場合、前記再生手段は、前記分割会議データの再生速度を変更する、ことを特徴とする会議システムである。
【００１５】
また、請求項１１に記載の発明は、会議の内容が記録された会議データを分割して、複数の分割会議データを生成する分割会議データ生成手段と、前記複数の分割会議データのそれぞれについて、重要度を示す重要度情報を生成する重要度情報生成手段と、それぞれ前記会議の期間に含まれる、第１の期間と、前記第１の期間の後の第２の期間と、を特定する、期間特定情報を取得する期間特定情報取得手段と、前記重要度情報に基づいて、前記第１の期間に含まれる前記分割会議データの重要度の傾向を示す第１重要度傾向情報と、前記第２の期間に含まれる前記分割会議データの重要度の傾向を示す第２重要度傾向情報と、を生成する重要度傾向情報生成手段と、前記第１重要度傾向情報と、前記第２重要度傾向情報と、に基づいて、重要度閾値を生成する閾値生成手段と、前記第２の期間に対応する前記会議データの再生において、前記第２の期間に含まれる前記分割会議データのうち、前記重要度が前記重要度閾値以上である分割会議データを再生する再生手段と、を有することを特徴とするサーバ装置である。
【００１６】
また、請求項１２に記載の発明は、第１の期間と、前記第１の期間の後の第２の期間と、を含む会議の内容が記録され、それぞれが重要度を有する複数の分割会議データに分割される会議データの、再生内容を出力するクライアント端末であって、前記第２の期間に対応する前記会議データの再生内容の出力において、前記第１の期間に含まれる前記分割会議データの重要度の傾向を示す第１重要度傾向情報と、前記第２の期間に含まれる前記分割会議データの重要度の傾向を示す第２重要度傾向情報と、に基づいた重要度閾値以上の重要度を有する分割会議データの再生内容を出力する、再生内容出力手段を有することを特徴とするクライアント端末である。
【００１７】
また、請求項１３に記載の発明は、コンピュータを、会議の内容が記録された会議データを分割して、複数の分割会議データを生成する分割会議データ生成手段と、前記複数の分割会議データのそれぞれについて、重要度を示す重要度情報を生成する重要度情報生成手段と、それぞれ前記会議の期間に含まれる、第１の期間と、前記第１の期間の後の第２の期間と、を特定する期間特定情報を取得する期間特定情報取得手段と、前記重要度情報に基づいて、前記第１の期間に含まれる前記分割会議データの重要度の傾向を示す第１重要度傾向情報と、前記第２の期間に含まれる前記分割会議データの重要度の傾向を示す第２重要度傾向情報と、を生成する重要度傾向情報生成手段と、前記第１重要度傾向情報と、前記第２重要度傾向情報と、に基づいて、重要度閾値を生成する閾値生成手段と、前記第２の期間に対応する前記会議データの再生において、前記第２の期間に含まれる前記分割会議データのうち、前記重要度が前記重要度閾値以上である分割会議データを再生する再生手段と、として機能させるプログラムである。
【発明の効果】
【００１８】
請求項１に係る発明によれば、会議データの第２の期間の再生において、第２の期間の会議データを分割した分割会議データのうち、第２の期間と、第２の期間と異なる第１の期間と、の重要度の傾向に基づいて生成される重要度閾値に基づいて選択される分割会議データを再生する会議システムが提供される。
【００１９】
請求項２に係る発明によれば、重要度と、第１の期間に含まれる該重要度を有する分割会議データの記録時間の総和と、を関連づける情報と、重要度と、第２の期間に含まれる該重要度を有する分割会議データの記録時間の総和と、を関連づける情報と、に基づいて、重要度閾値を生成する会議システムが提供される。
【００２０】
請求項３に係る発明によれば、記録時間累積値が第２の期間の長さ以下である重要度のうち、最小の重要度を重要度閾値とする会議システムが提供される。
【００２１】
請求項４に係る発明によれば、第１の期間と、第２の期間と、の長さの比率と、内容の量の比率と、に基づいて重要度閾値を生成する会議システムが提供される。
【００２２】
請求項５に係る発明によれば、第１の期間の重要度の傾向と、再生対象会議データの始点から第２の期間の始点までの第３の期間の重要度の傾向と、に基づいて、第２の期間の重要度の傾向を生成する会議システムが提供される。
【００２３】
請求項６に係る発明によれば、会議内容を示す会議内容情報からキーワードを抽出し、分割会議データの重要度情報を、該会議分割データに含まれるキーワードの個数に基づいて生成する会議システムが提供される。
【００２４】
請求項７に係る発明によれば、会議において表示される表示画面情報からキーワードを抽出し、分割会議データの重要度情報を、該分割会議データに含まれるキーワードの個数に基づいて生成するとともに、各期間の内容の量を、該期間に表示される画面の枚数に基づいて特定する会議システムが提供される。
【００２５】
請求項８に係る発明によれば、分割会議データの重要度情報を、該分割データの音声情報から生成される文字データに含まれるキーワードの個数に基づいて生成する会議システムが提供される。
【００２６】
請求項９に係る発明によれば、第２期間特定情報を取得し、再生手段による再生内容を出力するクライアント端末を有する会議システムが提供される。
【００２７】
請求項１０に係る発明によれば、重要度閾値が所定の判定値より大きい場合に、重要度閾値および再生速度を変更する会議システムが提供される。
【００２８】
請求項１１に係る発明によれば、会議データのある期間の再生において、該期間の会議データを分割した分割会議データのうち、該期間と、該期間と異なる期間と、の重要度の傾向に基づいて生成される重要度閾値に基づいて選択される分割会議データを再生するサーバ装置が提供される。
【００２９】
請求項１２に係る発明によれば、会議データのある期間の再生において、該期間の会議データを分割した分割会議データのうち、該期間と、該期間と異なる期間と、の重要度の傾向に基づいて生成される重要度閾値に基づいて選択される分割会議データの再生内容を出力するクライアント端末が提供される。
【００３０】
請求項１３に係る発明によれば、コンピュータを、会議データのある期間の再生において、該期間の会議データを分割した分割会議データのうち、該期間と、該期間と異なる期間と、の重要度の傾向に基づいて生成される重要度閾値に基づいて選択される分割会議データを再生する手段として機能させるプログラムが提供される。
【図面の簡単な説明】
【００３１】
【図１】本発明の一実施形態に係る会議システムを示す図である。
【図２】本実施形態に係るサーバ装置の構成を示す図である。
【図３】スライドデータの一例を示す図である。
【図４】本会議システムによる処理が行われる状況を時間軸で示す図である。
【図５】キーワード抽出部により抽出されるキーワードの一例を示す図である。
【図６】重要度算出部において算出される重要度の一例を示す図である。
【図７】重要度ごとの記録時間の一例を示す図である。
【図８】重要度予測部における処理を示す図である。
【図９】閾値生成部における処理を示す図である。
【図１０】本実施形態に係るクライアント端末の構成を示す図である。
【図１１】本実施形態に係る会議システムにおける会議データ処理を示すフローチャートである。
【発明を実施するための形態】
【００３２】
図１は、本発明の一実施形態に係る会議システム１０を示す図である。会議システム１０は、互いにネットワーク３００を介して接続されるサーバ装置１００、クライアント端末２００−１，２００−２，２００−ｎを含む。サーバ装置１００は、クライアント端末２００−１，２００−２，２００−ｎと通信を行うパソコンやワークステーション等の情報処理装置であり、クライアント端末２００−１，２００−２，２００−ｎは、サーバ装置１００および他のクライアント端末２００−１，２００−２，２００−ｎと通信を行うパソコンや情報携帯端末等の情報処理装置である。
【００３３】
サーバ装置１００は、例えばクライアント端末２００−１，２００−２，２００−ｎのいずれかから送信される会議映像、会議音声等の会議データを取得し、該会議データ、もしくは該会議データに対して圧縮処理を行った加工会議データを、クライアント端末２００−１，２００−２，２００−ｎの少なくとも１つに対して送信する。より具体的には、クライアント端末２００−１，２００−２，２００−ｎの少なくとも１つにおいて、会議データの再生が第１のタイミングにおいて中断され、第２のタイミングにおいて再生が再開された場合に、第１のタイミングから会議終了までの期間の会議データ（再生対象会議データ）を圧縮して、第２のタイミングから会議終了までの期間（第２の期間）に再生する。以下では、第１のタイミングから第２のタイミングまでの期間を、第３の期間とする。
【００３４】
図２は、本実施形態に係るサーバ装置１００の構成を示す図である。サーバ装置１００は、キーワード抽出部１０１、音声解析部１０２、重要度算出部１０３、進捗情報取得部１０４、期間特定情報取得部１０５、重要度予測部１０６、閾値生成部１０７、会議データ加工部１０８、再生部１０９、および通信部１１０を有する。また、サーバ装置１００は、スライドデータ蓄積部１１１、会議データ蓄積部１１２、分割会議データ蓄積部１１３、および加工会議データ蓄積部１１４を有する。キーワード抽出部１０１、音声解析部１０２、重要度算出部１０３、進捗情報取得部１０４、期間特定情報取得部１０５、重要度予測部１０６、閾値生成部１０７、会議データ加工部１０８、再生部１０９、および通信部１１０は、例えばＣＰＵの一機能として実現され、スライドデータ蓄積部１１１、会議データ蓄積部１１２、分割会議データ蓄積部１１３、および加工会議データ蓄積部１１４は、メモリー等の記憶素子により構成される。
【００３５】
キーワード抽出部１０１は、スライドデータ蓄積部１１１に蓄積されている、会議において表示されるスライドデータ等の会議の内容を示す会議内容情報から、キーワードを抽出する。
【００３６】
音声解析部１０２は、会議データ蓄積部１１２に蓄積される音声データを含む会議データに対し既存の音声解析処理を実施して文字データを生成するとともに、該文字データの例えば文の切れ目や、段落（内容）の切れ目において会議データを分割して、分割会議データを生成する。
【００３７】
重要度算出部１０３は、音声解析部１０２において生成された分割会議データのそれぞれの文書データについて、キーワード抽出部１０１で抽出されたキーワードの登場回数（個数）をカウントする。カウントされたキーワードの登場回数は、該分割会議データの重要度を示す重要度情報として扱われる。
【００３８】
進捗情報取得部１０４は、通信部１１０を介して入力される会議データ又は現時点で使用（表示）されているスライドのページを示す情報に基づいて、現在表示されているスライドを示す進捗情報を生成する。
【００３９】
期間特定情報取得部１０５は、第１、第２のタイミング（第１、第２、第３の期間）を特定する期間特定情報を取得する。期間特定情報取得部１０５は、クライアント端末２００から送信される、該クライアント端末２００における会議データの再生が停止されたタイミング（第１のタイミング）および会議データの再生が再開されたタイミング（第２のタイミング）を示すタイミング情報を取得する。また、会議の開始時刻および終了時刻は、予め取得されて記憶されている。
【００４０】
重要度予測部１０６は、重要度算出部１０３において生成される重要度に基づいて、第２のタイミングにおいて、第１の期間に含まれる分割会議データの重要度の傾向を示す第１重要度傾向情報と、第３の期間に含まれる分割会議データの重要度の傾向を示す第３重要度傾向情報と、を生成する。また、第１重要度傾向情報と、第３重要度傾向情報と、に基づいて、第２の期間の重要度の傾向を示す第２重要度傾向情報を生成（予測）する。
【００４１】
閾値生成部１０７は、第１重要度傾向情報、第２重要度傾向情報、および第３重要度傾向情報に基づいて、再生対象会議データ（第２、第３の期間の会議データ）に含まれる分割会議データのそれぞれの再生／スキップ（削除）を判定するための重要度閾値を生成する。各分割会議データに対しては重要度算出部１０３において重要度が算出されており、重要度閾値は、この重要度に対する閾値である。
【００４２】
会議データ加工部１０８は、会議データに対して加工処理を行う。具体的には、会議データ加工部１０８は、再生対象会議データ（第１のタイミングから会議終了までの期間の会議データ）に含まれる分割会議データの重要度に対して、閾値生成部１０７において生成される重要度閾値による閾値判定を行い、重要度が重要度閾値以上である分割会議データを繋ぎ合わせて加工会議データを生成する。
【００４３】
再生部１０９は、加工会議データ蓄積部１１４に蓄積される加工会議データを再生して、生成される映像データおよび画像データを通信部１１０に出力する。再生部１０９は加工会議データを再生することにより、再生対象会議データ（第２の期間および第３の期間の会議データ）の再生においては、分割会議データのうち、重要度が重要度閾値以上である分割会議データを再生する。
【００４４】
通信部１１０は、クライアント端末２００と通信を行う。通信部１１０は、会議会場に設けられたクライアント端末２００から会議データを受信して進捗情報取得部１０４に出力するとともに会議データ蓄積部１１２に蓄積する。また、通信部１１０は、会議の参加者により使用されるクライアント端末２００から信号を受信して期間特定情報取得部１０５に出力し、再生部１０９において生成される加工会議データが再生された映像データおよび画像データを該クライアント端末２００に対して送信する。
【００４５】
スライドデータ蓄積部１１１は、例えば会議の前に取得される、会議で使用されるスライドのデータを蓄積する。スライドのデータは、会議の内容を示す会議内容情報である。会議データ蓄積部１１２は、通信部１１０を介して受信される会議データを蓄積する。分割会議データ蓄積部１１３は、会議データが音声解析部１０２において分割されて生成される分割会議データを蓄積する。加工会議データ蓄積部１１４は、会議データ加工部１０８において生成される加工会議データを蓄積する。
【００４６】
以下に、サーバ装置１００の動作を詳細に説明する。会議システム１０における会議の実施に先立ち、スライドデータ蓄積部１１１には当該会議で表示されるスライドデータが蓄積されている。図３は、スライドデータの一例を示す図である。
【００４７】
また、会議データ蓄積部１１２には、会議を記録した、音声データを含む会議データが蓄積される。会議データは会議の進行に伴って随時蓄積される。以下では、ある参加者（クライアント端末２００の使用者）が、３０分の会議において、１５分経過した時点（第１のタイミング）で中座等のために再生を中断（一時停止）し、２０分経過した時点（第２のタイミング）で再生を再開する状況での処理について説明する。図４は、本会議システム１０による処理が行われる状況を時間軸で示す図である。すなわち、ここでは当該参加者は、２０分経過した時点（第２のタイミング）において、開始後１５分経過時（第２のタイミング）からの会議データの再生を開始し、第２のタイミングから会議終了時までの期間（期間ｂ）に第１のタイミングから会議終了時までの期間（期間ａ）の会議データ（再生対象会議データ）を再生する。すなわち第１のタイミングは、再生対象会議データの始点を示す。そして上述の第１の期間は会議開始から第２のタイミングまでの期間、第２の期間は期間ｂ、第３の期間は期間ｃにそれぞれ相当する。以下では、第２のタイミングにおいて実行される処理を説明する。
【００４８】
キーワード抽出部１０１は、スライドデータ蓄積部１１１に蓄積されるスライドデータから、キーワードを抽出する。キーワード抽出部１０１は、例えば事前に蓄積されるキーワードのデータベースと照合して同じキーワードを抽出する手法、スライドデータにおいて見出しや下線等の所定の規則で特定される位置に記載された単語をキーワードとして抽出する手法等により、キーワードを抽出する。キーワード抽出部１０１は、キーワードを、スライドのページ（表示される画面）毎に抽出する。図５は、キーワード抽出部１０１により抽出されるキーワードの一例を示す図である。
【００４９】
音声解析部１０２は、会議データ蓄積部１１２に蓄積されている会議データの音声データに対して音声解析処理を行い、音声データを文字データに変換する。また、音声解析部１０２は、会議データを、例えば音声データにおける所定の期間以上の長さの無音部や、別途取得されるスライドのページ変更のタイミング、変換された文字データにおける内容の変更位置に基づいて分割して、複数の分割会議データを生成する。
【００５０】
重要度算出部１０３は、音声解析部１０２で生成された分割会議データの文字データのそれぞれについて、キーワード抽出部１０１において抽出されるキーワードの登場回数をカウントする。重要度算出部１０３は、進捗情報取得部１０４において取得される進捗情報に基づいて各スライドが表示されていた期間を把握し、例えば１枚目のスライドが表示されていた期間に対応する文字データにおいては、１枚目のスライドから抽出されたキーワードの登場回数をカウントする。重要度算出部１０３において算出された、ある分割会議データにおけるキーワードの登場回数は、該分割会議データの重要度を示す重要度情報と見なされる。図６は、重要度算出部１０３においてカウントされるキーワードの登場回数の一例を示す図である。
【００５１】
重要度予測部１０６は、重要度算出部１０３で算出された重要度情報に基づいて、現時点（第２のタイミング）以降の期間（第２の期間）の重要度の傾向を示す第２重要度傾向情報を生成する。まず重要度予測部１０６は、会議開始から第２のタイミングまでの期間（第１の期間）における等しい重要度を有する分割会議データの時間を合算して、重要度ごとの記録時間を算出する。例えば重要度２５と判定される分割会議データが、５５秒間の分割会議データと、４１秒間の分割会議データと、の２つであった場合、重要度２５の記録時間は５５＋４１＝９６＝１分３６秒となる。図７は、重要度ごとの記録時間の一例を示す図である。ここで、第１，第２，第３の各期間において、重要度と、各期間における該重要度を有する分割会議データの記録時間の総和と、を関連づける情報をそれぞれ、各期間における重要度の傾向を示す第１重要度傾向情報、第２重要度傾向情報、および第３重要度傾向情報と規定する。
【００５２】
次に、重要度予測部１０６は、現時点（第２のタイミング）での会議内容の進捗状況を確認する。重要度予測部１０６は、進捗情報取得部１０４において取得される進捗情報に基づいて、現時点で表示されているスライドが全てのスライドのうちの何枚目であるか確認する。３０分のうち２０分が経過した第２のタイミングにおいて、２／３のスライドが表示されていれば会議は予定どおり進捗しており、２／３以下のスライドが表示されている場合には進捗は遅れていると判断する。ここでは、２０枚のスライドのうち１２枚が表示されていた場合について説明する。
【００５３】
２０枚のスライドのうち１２枚が表示されていた場合、本来説明が終了しているべき枚数は２０×２／３＝１３．３…であることから、進捗に遅れが生じている。そして、これまでの２０分で１２枚が表示されていたことに対しこれからの１０分で８枚が表示されることから、発表の速度（単位時間の表示枚数）は、（これからの１０分の速度）／（今までの２０分速度）＝（８／１０）／（１２／２０）＝４／３の比率で速くなる。
【００５４】
ここで、発表の速度を速めるために発表者は、重要度の低い話題を省略すると考えられる。従って重要度予測部１０６は、図７において重要度が低い１／４の部分が省略する。そのために、重要度予測部１０６は、各重要度について発生比率および重要度が低いものから加算した累積値を算出する（図７の（１）参照）。
【００５５】
図８は、重要度予測部１０６における処理を示す図である。重要度予測部１０６は、図７の（１）において累積値が０．２５を超える重要度を特定し（図８における２４）、該重要度以下の重要度の発生比率を０とする（図８の（１））。
【００５６】
次に重要度予測部１０６は、これらの発生比率に対し、総計が１となるよう変換を行う。すなわち、図８の（１）においては発生比率の総計は０．７４であるから、重要度予測部１０６は、各発生比率に１．００／０．７４を乗算することで、総計を１とする変換を行い（図８の（２））、第２の期間における重要度の傾向を示す第２重要度傾向情報を生成する。そして残り時間である１０分に各比率を乗じることで、残り１０分間（第２の期間）における各重要度の発生時間を予測する（図８の（３））。
【００５７】
閾値生成部１０７は、重要度予測部１０６において予測された重要度の傾向に基づいて、残り１０分間（第２の期間、期間ｂ）で１５分（期間ａ）の会議データを再生するための重要度閾値を算出する。図９は、閾値生成部１０７における処理を示す図である。閾値生成部１０７は、重要度予測部１０６において予測された残り１０分間（期間ｂ）の各重要度の記録時間予測に対して、既に記録され再生されていない５分間（期間ｃ）の会議データに対して重要度算出部１０３において算出された記録時間を加算して、これから再生する１５分（期間ａ）の会議データにおける記録時間を算出し（図９の（１））、各記録時間の１５分に対する比率を算出することで期間ａにおける重要度の傾向を算出する（図９の（２））。
【００５８】
こうして得られた重要度の傾向に基づいて、閾値生成部１０７は、重要度の低い５分を間引くための重要度閾値を決定する。具体的には、１５分の会議データから５分（すなわち１／３）の会議データを間引くため、閾値生成部１０７は、重要度の低いものから逐次的に加算した発生比率の累積値を算出し（図９の（３））、累積値が１／３を超える重要度（図９における２５）を、重要度閾値と決定する。閾値生成部１０７は、各重要度について、該重要度以上の重要度を有する分割会議データの記録時間の総和を算出して、総和が第２の期間の長さ以下である重要度のうち、最小の重要度を重要度閾値としてもよい。
【００５９】
会議データ加工部１０８は、閾値生成部１０７において決定された重要度閾値に基づいて、会議データ蓄積部１１２に蓄積される会議データに対する加工を行う。具体的には、分割会議データ蓄積部１１３に蓄積される期間ａに対応する再生対象会議データのうち、重要度が重要度閾値以上の分割会議データのみを繋ぎ合わせて、加工会議データを生成する。生成された加工会議データは、加工会議データ蓄積部１１４に蓄積される。加工会議データ蓄積部１１４に蓄積された加工データは、再生部１０９により再生され、通信部１１０を介してクライアント端末２００に送信される。
【００６０】
図１０は、本実施形態に係るクライアント端末２００の構成を示す図である。クライアント端末２００は、期間特定情報取得部２０１、再生データ出力部２０２、および通信部２０３を有する。期間特定情報取得部２０１、再生データ出力部２０２、および通信部２０３は、例えば記憶部（図示しない）に記憶されるプログラムで動作するＣＰＵの一機能として実現される。
【００６１】
期間特定情報取得部２０１は、クライアント端末２００の使用者の操作に基づいて、使用者が会議データの再生を中断したタイミング（第１のタイミング）および使用者が会議データの再生を再開したタイミング（第２のタイミング）を示す期間特定情報を取得する。
【００６２】
再生データ出力部２０２は、サーバ装置１００から送信された再生データを、クライアント端末２００に設けられるディスプレイやスピーカーに対して出力する。
【００６３】
通信部２０３は、期間特定情報取得部２０１で取得されたタイミング情報をサーバ装置１００に対して送信するとともに、サーバ装置１００から送信される再生データを受信する。
【００６４】
次に、本実施形態に係る会議システム１０の動作を、フローチャートを用いて説明する。図１１は、本実施形態に係る会議システム１０における会議データ処理を示すフローチャートである。
【００６５】
まず、サーバ装置１００は、スライドデータを取得し（Ｓ１１０１）、キーワード抽出部１０１がスライドデータからキーワードを抽出する（Ｓ１１０２）。
【００６６】
サーバ装置１００が、クライアント端末２００から期間特定情報を取得すると（Ｓ１１０３）、サーバ装置１００の音声解析部１０２は、会議データ蓄積部１１２に蓄積される会議データに対して音声解析処理を行って分割会議データを生成し（Ｓ１１０４）、各分割会議データに対して重要度情報を生成する（Ｓ１１０５）。
【００６７】
重要度予測部１０６がそれまでの重要度等から第１重要度傾向情報および第２重要度傾向情報を生成して（Ｓ１１０６）、閾値生成部１０７が重要度閾値を生成する（Ｓ１１０７）。
【００６８】
そして、会議データ加工部１０８は、第１のタイミング以降の分割会議データに対して閾値判定を行い（Ｓ１１０８）、加工会議データの生成（Ｓ１１０９）を実行する。生成された加工会議データは、再生部１０９において再生されて（Ｓ１１１０）、通信部１１０を介してクライアント端末２００に送信され、クライアント端末２００において出力される（Ｓ１１１１）。以上で会議システム１０における会議データ処理は終了する。
【００６９】
なお、フローチャート内では明示されていないが、Ｓ１１０３における期間特定情報の取得後も会議データは逐次蓄積され、それらのデータに対して逐次Ｓ１１０４からＳ１１１１の処理が実行される。
【００７０】
以上の構成により、会議データのある期間の再生において、該期間の会議データを分割した分割会議データのうち、該期間と、該期間と異なる期間と、の重要度の傾向に基づいて生成される重要度閾値に基づいて選択される分割会議データを再生する、会議システム１０が提供される。本発明は、上記実施形態を、その趣旨を逸脱しない範囲において変更された構成を含むものであり、上記実施形態に限定されるものではない。
【００７１】
例えば上記の実施形態においては、会議データ加工部１０８が分割会議データをそのまま繋ぎ合わせて加工会議データを生成する構成が示されたが、会議データ加工部１０８が分割会議データの再生速度を変更する構成を備えてもよく、重要度閾値と所定の判定値とを比較する手段と、重要度閾値が判定値より大きい場合に重要度閾値を変更する手段を備え、例えば閾値生成部１０７において生成された閾値が所定の値より大きい（多くの分割会議データが間引かれる）場合、重要度閾値を所定の値まで下げたうえで、再生部１０９における再生速度が、会議の時間内に再生が終わるよう重要度閾値等に基づいて定められる値まで高める構成としてもよい。この構成によれば、多くの分割会議データが間引かれることによって再生を聴いた参加者が会議の内容を理解しづらくなることが回避される。
【００７２】
また、上記の実施形態においてはキーワード抽出部１０１において抽出されるキーワードの登場回数が重要度とされる構成が示されたが本発明はこれに限定されず、予めキーワード候補に重み付け（係数）が規定され、登場回数に該係数が乗算された値を重要度とする構成としてもよいし、スライドにおける登場の形式（太字、下線付き）に基づいてキーワードの重み付けが決定される構成としてもよい。この構成によれば、重要度の算出において、重要を思われるキーワードの影響度が強まり、その結果、より精度の高い重要度の算出、重要度閾値の生成、および会議データの加工が行われる。
【００７３】
また、上記実施形態では第２のタイミングにおいて算出された重要度閾値が継続して使用される構成が示されたが、第２のタイミング以降も、所定のタイミングにおいて進捗情報取得部１０４における進捗情報の取得、重要度予測部１０６における第２重要度傾向情報の生成、および閾値生成部１０７における重要度閾値の生成を実行する構成としてもよい。この構成によれば、重要度閾値の生成以降に、会議の進行が第２のタイミングにおける予測と異なるものとなった場合にも実際の会議の進行に則した処理が実行される。
【００７４】
また、会議における発表者がスライドにおいて指した箇所を示す位置情報を取得する構成を更に備え、音声解析部１０２において生成された文字データにおいて「これ」等の指示語が存在する場合、該指示語のタイミングで指されていた位置およびスライドの内容に基づいて指されていた語を特定し、指示語を該指されていた語に置き換えたうえで重要度を算出する構成としてもよい。
【００７５】
また、会議における発表者の過去の発表に関する情報を取得する構成を更に備え、該情報に基づいて重要度を算出する構成としてもよい。例えば過去の発表における重要度の分布の時間毎の傾向を算出し、例えば後半に重要度が高くなる等の傾向が読み取られる場合には、新たに算出された重要度に対して、後半部においては重要度を高める補正を行う構成としてもよいし、同じ発表を過去に行っていた場合には当該過去の発表における重要度情報を利用することで、今回の発表において新たに行われる演算の量を軽減する構成としてもよい。
【００７６】
また、スライドデータに対して、例えば発表者がページのそれぞれについて、重み付けの係数（重み付け）を設定し、各スライドを表示している期間に対応する重要度の算出において重要度に対して該係数を乗じる構成としてもよい。
【００７７】
また、上記の実施形態では期間特定情報が取得されてから会議データの音声解析等が実行される構成が示されたが、期間特定情報が取得される前から、逐次蓄積される会議データに対して音声解析および重要度の算出処理を実行する構成や、所定のタイミングにおいて、その時点で未処理の会議データに対し音声解析および重要度の算出処理を行う構成としてもよい。このような構成とすることで、期間特定情報が取得された時点で実行される処理が軽減され、加工会議データの生成がより迅速に実行される。
【００７８】
また、上記実施形態では、加工会議データの再生までをサーバ装置１００が行う構成が示されたが、本発明はこれに限定されず、会議データの加工処理がクライアント端末２００で行われる構成等、会議システム１０内において行われている処理について会議システム１０内の他の装置で行われる構成としてもよい。
【００７９】
なお、ここで述べたサーバ装置１００およびクライアント端末２００の動作は、それぞれの記憶部に記憶されるプログラムを動作させることで実現される。このプログラムは通信によって提供されてもよいし、コンピュータによる読み取りが可能な、ＣＤ−ＲＯＭ等の記憶媒体に格納されて提供されてもよい。
【符号の説明】
【００８０】
１０  会議システム、１００  サーバ装置、１０１  キーワード抽出部、１０２  音声解析部、１０３  重要度算出部、１０４  進捗情報取得部、１０５  期間特定情報取得部、１０６  重要度予測部、１０７  閾値生成部、１０８  会議データ加工部、１０９  再生部、１１０  通信部、１１１  スライドデータ蓄積部、１１２  会議データ蓄積部、１１３  分割会議データ蓄積部、１１４  加工会議データ蓄積部、２００，２００−１，２００−２，２００−ｎ  クライアント端末、２０１  期間特定情報取得部、２０２  再生データ出力部、２０３  通信部、３００  ネットワーク。
【図１】
2015076673.tif 000003
【図２】
2015076673.tif 000004
【図３】
2015076673.tif 000005
【図４】
2015076673.tif 000006
【図５】
2015076673.tif 000007
【図６】
2015076673.tif 000008
【図７】
2015076673.tif 000009
【図８】
2015076673.tif 000010
【図９】
2015076673.tif 000011
【図１０】
2015076673.tif 000012
【図１１】
2015076673.tif 000013